(57)【特許請求の範囲】
【請求項１】
記入フォーム用プレートを用いたマイナンバー漏洩防止システムであって、
個々の対象者に対して一意に定まるユニーク番号を付与する発送データ作成部と、
個別暗号マス目の位置を示す数字を付与する個別暗号マス目付与部と、
前記個別暗号マス目付与部により付与された個別暗号マス目の位置を前記ユニーク番号と関連付けて格納する個別暗号マス目データベースと、
記入フォームに記載されたユニーク番号及び少なくともＮ＋１桁の数字を取得するデータ取得部と、
前記データ取得部で取得したユニーク番号と前記個別暗号マス目データベースに格納されたユニーク番号とを照合して個別暗号マス目を特定し、前記データ取得部で取得した前記少なくともＮ＋１桁の数字から、特定した前記個別暗号マス目の位置に記載された数字を取り除き、Ｎ桁のマイナンバーを取得するデータ整合化処理部と、
前記データ整合化処理部で取得したマイナンバーを格納するマイナンバー管理データベースと、
前記記入フォームに数字を記入する際に用いられる記入フォーム用プレートと、
を備え、
前記記入フォーム用プレートは、Ｎ桁のマイナンバーを記入するＮ個のマス目と、任意の数字を記入する少なくとも１個の個別暗号マス目とを備え、
前記Ｎ個のマス目は開口を有し、前記少なくとも１個の個別暗号マス目は開口を有しないことを特徴とする前記マイナンバー漏洩防止システム。
【請求項２】
請求項１に記載のマイナンバー漏洩防止システムにおいて、
前記データ整合化処理部は、前記データ取得部で取得した少なくとも１３桁の数字から、特定した個別暗号マス目の位置に記載された数字を取り除き、１２桁のマイナンバーを取得することを特徴とする前記マイナンバー漏洩防止システム。
【請求項３】
請求項１に記載のマイナンバー漏洩防止システムであって、
前記個別暗号マス目データベースに格納された情報を前記記入フォームに印字する印字部を更に備えることを特徴とする前記マイナンバー漏洩防止システム。
【請求項４】
請求項１〜３のいずれか一項に記載のマイナンバー漏洩防止システムであって、
前記Ｎ個のマス目と前記少なくとも１個の個別暗号マス目とが列を成して配置され、
前記少なくとも１個の個別暗号マス目は、前記列の任意の位置に配置される、
ことを特徴とする前記マイナンバー漏洩防止システム。
【請求項５】
請求項１〜４のいずれか一項に記載のマイナンバー漏洩防止システムであって、
前記少なくとも１個の個別暗号マス目が配置される前記列の任意の位置は、前記記入フォーム用プレートごとに予め定められている、
ことを特徴とする前記マイナンバー漏洩防止システム。
【発明の詳細な説明】
【技術分野】
【０００１】
本発明は、個人識別情報の漏洩防止システムに関するものであり、特に、記入フォーム用プレート及びそれを用いたマイナンバー漏洩防止システムに関するものである。
【背景技術】
【０００２】
マイナンバー制度の導入に伴い、わが国の住民票を有する者等の全てに番号が付与され、社会保障や税等の行政手続のための重要な社会基盤として、広く利用されるようになることが予測される。マイナンバーは、行政機関だけでなく民間事業者も取り扱う機会があり、マイナンバーの収集および管理に当っては、漏洩なく安全に行うことが求められている。
【０００３】
例えば、会社等の勤務先において従業員等のマイナンバーを源泉徴収票等に記載して税務署等に提出する場合や、証券会社等がマイナンバーを法定調書等に記載する場合等に、従業員や顧客等から提示されたマイナンバーを漏洩なく安全に取り扱うことが必須である。
【０００４】
個人識別番号の盗難・紛失を防止するために、特許文献１では、解析用データに含まれる識別情報に可逆の暗号処理とハッシュ処理等の非可逆の暗号処理とを施すことにより、可逆の暗号化処理に用いた暗号化キー、非可逆の暗号化処理に用いられたアルゴリズム等が第３者に漏洩したとしても、第３者が解析用データの識別情報から元の識別情報を得ることを困難とするデータ変換装置を開示している。
【先行技術文献】
【特許文献】
【０００５】
【特許文献１】特開２０１０−２１１５９０号公報
【発明の概要】
【発明が解決しようとする課題】
【０００６】
しかしながら、特許文献１は、情報処理システム内における個人情報の漏洩対策に関するものであり、個人のマイナンバーが記入された書類を郵送する際の郵便物の盗難や紛失等を考慮に入れたものではない。個人のマイナンバーが記入された書類を郵送する場合、万が一、郵送物の盗難・紛失が発生した場合、書類を盗み見られると、個人とマイナンバーが容易に紐づけられ、マイナンバーを不正に取得される可能性がある。そのため、システム内の漏洩防止対策に加えて、郵送等の際に盗難・紛失されたマイナンバー記入書類から個人とマイナンバーが紐づけられることを防止する有効な手段が求められる。
【０００７】
また、マイナンバーが記入された書類の盗難・紛失を防止することは、行政機関や民間事業者にとって、技術的負担・経済的負担が大きいという問題もある。
【０００８】
そこで、本発明は、上記課題を解決し、マイナンバーの盗難・紛失を防止するマイナンバー漏洩防止システムを提供するものである。
【課題を解決するための手段】
【０００９】
上記課題を解決するため、本発明では、マイナンバーを記入する書類のマス目を現行（２０１５年時点）のマイナンバーの桁数１２桁より多い、１３桁以上のマス目を予め記入フォームに設け、且つ、マイナンバーを記入する際に記入フォーム用のプレートを使用して、指定されたマス目にのみ１２桁のマイナンバーを記入し、残ったマス目には０から９までの任意の数字を記入させるマイナンバー漏洩防止システムを提供する。
これにより、万が一、マイナンバーが記入された書類が盗難・紛失しても容易に１２桁のマイナンバーを特定できないようにすることで問題点を解決している。
【００１０】
本発明の第１の態様では、記入フォーム用プレートを用いたマイナンバー漏洩防止システムであって、個々の対象者に対して一意に定まるユニーク番号を付与する発送データ作成部と、個別暗号マス目の位置を示す数字を付与する個別暗号マス目付与部と、前記個別暗号マス目付与部により付与された個別暗号マス目の位置を前記ユニーク番号と関連付けて格納する個別暗号マス目データベースと、記入フォームに記載されたデータを取得するデータ取得部と、前記データ取得部で取得したユニーク番号と前記個別暗号マス目データベースに格納されたユニーク番号とを照合して個別暗号マス目を特定し、マイナンバーを取得するデータ整合化処理部と、前記データ整合化処理部で取得したマイナンバーを格納するマイナンバー管理データベースと、を備えることを特徴とする前記マイナンバー漏洩防止システムを提供する。
【００１１】
本発明の第１の態様におけるマイナンバー漏洩防止システムにおいて、前記データ整合化処理部は、前記データ取得部で取得した少なくともＮ＋１桁の番号から、特定した個別暗号マス目の位置に記載された番号を取り除き、Ｎ桁のマイナンバーを取得することを特徴とする。
【００１２】
また、本発明の第１の態様におけるマイナンバー漏洩防止システムにおいて、前記データ整合化処理部は、前記データ取得部で取得した１３桁の数字から、特定した個別暗号マス目の位置に記載された数字を取り除き、１２桁のマイナンバーを取得することを特徴とする。
【００１３】
本発明の第１の態様におけるマイナンバー漏洩防止システムであって、前記個別暗号マス目データベースに格納された情報を前記記入フォームに印字する印字部を更に備えることを特徴とする前記マイナンバー漏洩防止システムを提供する。
【００１４】
また、本発明の第１の形態におけるマイナンバー漏洩防止システムで用いられる記入フォーム用プレートであって、Ｎ桁のマイナンバーを記入するＮ個のマス目と、任意の数字を記入する少なくとも１個の個別暗号マス目と、を備えることを特徴とする前記記入フォーム用プレートを提供する。
例えば、マイナンバーが１２桁の場合には、前記記入フォーム用プレートは、１２桁のマイナンバーを記入する１２個のマス目と、任意の数字を記入する少なくとも１個の個別暗号マス目とを備える。他の形態においては、前記任意の数字を記入する個別暗号マス目を２つ以上設けるようにしてもよい。
【００１５】
本発明の第１の形態における記入フォーム用プレートにおいて、前記Ｎ個のマス目は開口を有し、前記少なくとも１個の個別暗号マス目は開口を有しないことを特徴とする。
例えば、マイナンバーが１２桁の場合には、前記記入フォーム用プレートの前記１２個のマス目が開口を有し、前記少なくとも１個の個別暗号マス目は開口を有しない。他の形態においては、前記開口を有しない個別暗号マス目を２つ以上設けるようにしてもよい。
【００１６】
本発明の第１の形態における記入フォーム用プレートにおいて、前記Ｎ個のマス目と前記少なくとも１個の個別暗号マス目とが列を成して配置され、前記少なくとも１個の個別暗号マス目は、前記列の任意の位置に配置されることを特徴とする。
例えば、マイナンバーが１２桁の場合には、前記記入フォーム用プレートにおいて、前記１２個のマス目と前記少なくとも１個の個別暗号マス目とが列を成して配置され、前記少なくとも１個の個別暗号マス目は、前記列の任意の位置に配置される。他の形態においては、前記個別暗号マス目が２つ以上設けられ、各個別暗号マス目が前記列の任意の位置に配置されるようにしてもよい。
【００１７】
本発明の第１の形態における記入フォーム用プレートにおいて、前記少なくとも１個の個別暗号マス目が配置される前記列の任意の位置は、前記記入フォーム用プレートごとに予め定められていることを特徴とする。他の形態においては、前記個別暗号マス目が２つ以上設けられ、各個別暗号マス目が配置される前記列の任意の位置は、前記記入フォーム用プレートごとに、それぞれ予め定められているようにしてもよい。
【発明の効果】
【００１８】
本発明によれば、上述のように、本発明の記入フォーム用プレートおよびそれを用いたマイナンバー漏洩防止システムを使用することにより、マイナンバーの秘匿性をさらに高めることができ、しかも万が一の盗難・紛失においてもマイナンバーを不正に取得されることを防止するという効果を奏する。
【００１９】
マイナンバー１２桁の漏洩防止の効果として、盗難・紛失した書類を不正に取得した人物が記入されている１３桁のうち、全ての順列によりマイナンバー１２桁を特定しようとした場合に取得される確率は、
１３Ｐ１２＝１３×１２×１１×１０×９×８×７×６×５×４×３×２＝６，２７７，０２０，８００通りとなり、１／６，２７７，０２０，８００の確率となる。
【００２０】
また、盗難・紛失した書類を不正に取得した人物が記入されている１３桁のうち、０から９までの任意の数字となる１桁を判別できればマイナンバー１２桁を特定できることを知っている場合にも、容易にマイナンバーを取得できない。
これら、不正取得の確率は、プレートのマス目の数の増加、また、マイナンバーの記入指定序列を変更することに応じて複雑性が増すこととなり、マイナンバーを不正に取得されることを防止するために役立つ。
本発明の他の目的、特徴及び利点は添付図面に関する以下の本発明の実施例の記載から明らかになるであろう。
【図面の簡単な説明】
【００２１】
【図１】図１は、本発明による記入フォーム用プレート及び記入フォームの一例を示す図である。
【図２】図２は、本発明によるマイナンバー漏洩防止システムの概要を示す図である。
【図３】図３の（ａ）および（ｂ）は、本発明による個別暗号マス目データベースに保存されるデータ・テーブルを示す図である。図３の（ｃ）は、本発明による個別暗号マス目の位置の示し方を例示する図である。
【図４】図４は、本発明によるマイナンバー管理データベースに格納されるデータ・テーブルを示す図である。
【図５】図５は、本発明によるマイナンバー漏洩防止手順を示すフローチャートである。
【図６】図６は、本発明による記入フォーム用プレートの変形例を示す図である。
【発明を実施するための形態】
【実施例１】
【００２２】
図１は、本発明による記入フォーム用プレート及び記入フォームの一例を示す図である。図１の（ａ）は、本発明による記入フォーム用プレート１００の一例を示す図である。記入フォーム用プレート１００は、マイナンバー提出の対象者がマイナンバーの記入フォーム１３０にマイナンバーを記載する際に用いられる。記入フォーム用プレート１００には、マス目１１０が設けられている。マイナンバーの桁数がＮ桁の場合、典型的には、マス目１１０の数はＮ＋１個であるが、少なくともＮ＋１個であればよく、Ｎ＋１個より多い数であってもよい。マス目１１０の数は、典型的には１３個であるが、これに限られない。この１３個という数は、現行のマイナンバーの桁数である１２桁に１を加えた数と一致している。マス目１１０の数は、提出する必要のある番号の桁数よりも多ければ、１３個以上であっても、１３個より少なくてもよい。
【００２３】
また、記入フォーム用プレート１００のマス目１１０のうち、現行のマイナンバーの桁数と同じ数である１２個のマス目は開口を有している。一方、個別暗号マス目１２０は開口を有しない。マイナンバーを提出する対象者は、このマス目の開口を通して、自身のマイナンバーの各桁の番号を記載する。
【００２４】
図１の（ｂ）は、本発明による記入フォーム１３０の一例を示す図である。記入フォーム１３０には、番号記入欄１４０が設けられている。番号記入欄１４０は、記入フォーム用プレート１００のマス目１１０と同じ数、即ち、典型的には１３個のマス目が設けられている。番号記入欄１４０の各マス目の大きさと記入フォーム用プレート１００の個々のマス目１１０の大きさは実質的に等しい。また、番号記入欄１４０の各マス目の間隔と記入フォーム用プレート１００の個々のマス目１１０の間隔も実質的に等しい。
【００２５】
マイナンバー提出の対象者には、記入フォーム用プレート１００と記入フォーム１３０がセットとして送付される。対象者は、記入フォームに自身のマイナンバーを記入する際に、記入フォーム１３０の番号記入欄１４０の各マス目と、記入フォーム用プレート１００のマス目１１０のそれぞれの位置が合うように、番号記入欄１４０の上に記入フォーム用プレート１００を置く。そして、記入用プレート１００のマス目１１０の開口を通して、番号記入欄１４０の各マス目にマイナンバーの各桁を記入する。１２桁の全てを記入し終えると、対象者は、記入用プレート１００を番号記入欄１４０から外す。そうすると、開口を有しない個別暗号マス目１２０に対応する位置の番号記入欄のマス目は空欄となっており、この空欄に任意の１桁の数字を記入する。これにより、マイナンバー１２桁に１桁分が加えられた１３桁の数字が得られる。
【００２６】
図２は、本発明によるマイナンバー漏洩防止システム２００の概要を示す図である。マイナンバー漏洩防止システム２００は、発送データ作成部２２０と、個別暗号マス目データベース２３０と、個別暗号マス目付与部２４０と、印字部２５０と、データ取得部２７０と、データ整合化処理部２８０と、マイナンバー管理データベース２９０とを有する。
【００２７】
個別暗号マス目データベース２３０には、発送データ作成部２２０および個別暗号マス目付与部２４０により作成された対象者向けの発送データが格納される。個別暗号マス目データベース２３０に格納された発送データに基づいて、印字部２５０により記入フォーム１３０へ印字を行う。印字された記入フォーム１３０は対象者に発送され、対象者がマイナンバーの記入を行う。記入フォーム１３０に記載されたデータはデータ取得部２７０によって取得される。データ取得部２７０で取得したデータは、データ整合化処理部２８０により整合化が行われ、マイナンバー管理データベース２９０に格納される。
【００２８】
発送データ作成部２２０は、対象者に発送する記入フォームを作成するためのデータを作成し、個別暗号マス目データベース２３０に格納する。発送データ作成部２２０は、図３の（ａ）に例示されるように、個々の対象者に対して一意に定まるユニーク番号３１０を付与し、対象者の情報と共に個別暗号マス目データベース２３０に格納する。
【００２９】
個別暗号マス目付与部２４０は、図３の（ｂ）に例示されるように、個々のユニーク番号３１０に対して、個別暗号マス目３２０の位置を示す数字を付与し、個別暗号マス目データベース２３０に格納する。これにより、個々の対象者とユニーク番号３１０とが関連づけられる。
【００３０】
個別暗号マス目データベース２３０は、対象者に発送する記入フォームを作成するためのデータが格納される。図３に、個別暗号マス目データベース２３０に格納されるデータのデータ・テーブルを示す。
図３の（ａ）は、発送データ作成部２２０により作成された個々の対象者の情報がユニーク番号３１０と共に格納されたデータ・テーブル３０１を示している。データ・テーブル３０１は、典型的には、対象者の情報として、対象者ＩＤ、氏名、郵便番号、住所、生年月日、電話番号等のデータを有するが、これに限られず、これらのうちの少なくとも１つであってもよい。ここで、対象者ＩＤとは、例えば、社員番号、会員番号、ユーザＩＤ等、対象者が所属するグループや対象者が利用するサービス等で使用されているものをいう。対象者ＩＤおよび氏名・住所等のその他の対象者の情報は、典型的には、サービス利用者から提供される。ユニーク番号３１０は、個々の対象者の情報と関連付けられて格納されている。
【００３１】
図３の（ｂ）は、個別暗号マス目付与部２４０により付与された個別暗号マス目３２０がユニーク番号３１０と共に格納されたデータ・テーブル３０２を示している。データ・テーブル３０２は、発送データ作成部２２０で付与された個々のユニーク番号３１０に個別暗号マス目３２０の位置が関連付けられている。個別暗号マス目３２０の位置は、例えば図３の（ｃ）に示すような、各マス目の通し番号３３０である数字、即ち、１からＭ（Ｍはマス目の総数）、典型的には１から１３のうちのいずれか１つの数字で示される。図３の（ｃ）の例では、個別暗号マス目３２０の位置は「３」である。
【００３２】
印字部２５０は、個別暗号マス目データベース２３０に格納されたデータに基づいて、記入フォーム１３０に情報を印字する。記入フォーム１３０に印字される情報は、典型的には、対象者の氏名、郵便番号、住所、生年月日、電話番号およびユニーク番号３１０であるが、これに限られず、これらのうちの少なくとも１つであってもよい。ユニーク番号３１０は直接印字されず、典型的には、ＱＲデータ化されて印字されるが、これに限定されず、バーコード化したり、暗号化して他の数字や文字等に変換したりしてもよい。記入フォーム１３０は、典型的には紙に印刷されており、封筒に封入して対象者に郵便その他の送付手段等により発送できる。また、記入フォーム１３０は、郵便その他の送付手段等を利用せずに、手渡しによって配布するようにしてもよい。
【００３３】
データ取得部２７０は、記入フォーム１３０に記載されているＱＲデータおよび記入フォーム１３０に記入されたＮ＋１桁（Ｎはマイナンバーの桁数）の数字、即ち、典型的には１３桁の数字を取得する。記入フォーム１３０に記載されているＱＲデータは、ＱＲデータの読み取り機能により読み取ってユニーク番号２１０として取得する。ＱＲデータではなくバーコードを用いた場合には、バーコード読み取り手段により読み取ってユニーク番号２１０として取得する。また、暗号化された数字や文字を用いた場合には、復号化手段により復号化を行ってユニーク番号２１０として取得する。記入フォーム１３０に記入された１３桁の数字は、記入フォームが紙の場合は、対象者により手書きで記入された数字であり、ＯＣＲ機能等によりデータとして取得してもよいし、手入力により入力された数字をデータとして取得するようにしてもよい。
【００３４】
データ整合化処理部２８０は、データ取得部２７０で取得したユニーク番号３１０と、個別暗号マス目データベース２３０に格納されたユニーク番号３１０との照合を行い、個別暗号マス目３２０を特定する。データ整合化処理部２８０は、データ取得部２７０で取得したＮ＋１桁（Ｎはマイナンバーの桁数）の数字、即ち、典型的には１３桁の数字から、特定した個別暗号マス目３２０の位置に記載された番号を取り除き、Ｎ桁のマイナンバー、即ち、典型的には１２桁のマイナンバーを取得する。データ整合化処理部２８０は、取得したＮ桁のマイナンバー、即ち、典型的には１２桁のマイナンバーをマイナンバー管理データベース２９０に格納する。
【００３５】
マイナンバー管理データベース２９０は、１２桁のマイナンバーを対象者のユニーク番号と関連付けて格納する。図４は、データ整合化処理部２８０で整合化して取得した１２桁のマイナンバー４１０がユニーク番号３１０と共に格納されたデータ・テーブル４００を示している。マイナンバー４１０と、氏名・住所等の対象者の情報との関連付けが必要な場合には、ユニーク番号３１０をマッチングキーとして照合を行い、関連付けを行う。
【００３６】
図５は、本発明によるマイナンバー漏洩防止手順を示すフローチャートである。まず、発送データ作成部２２０が、対象者に発送する記入フォームを作成するための発送データを作成し（ステップ５１０）、個々の対象者に対して、ユニーク番号３１０を一意に定めて付与し、対象者の情報と共に個別暗号マス目データベース２３０に格納する（ステップ５２０）。次に、個別暗号マス目付与部２４０が、個々のユニーク番号３１０に対して、個別暗号マス目３２０の位置を示す数字を付与し、個別暗号マス目データベース２３０に格納する（ステップ５３０）。次に、印字部２５０が、個別暗号マス目データベース２３０に格納されたデータに基づいて、記入フォーム１３０に情報を印字する（ステップ５４０）。ここまでのステップ５１０〜５４０により、対象者に発送するための記入フォーム１３０が作成される。記入フォーム１３０の発送後、対象者が記入フォーム１３０に自身のマイナンバーの情報を記入し、記入フォーム１３０が返送される。返送された記入フォーム１３０に基づいて、以下のステップ５５０〜５７０が行われる。
【００３７】
次に、データ取得部２７０が、記入フォーム１３０に記載されているＱＲデータおよび記入フォーム１３０に記入された１３桁の数字を取得する（ステップ５５０）。次に、データ整合化処理部２８０は、データ取得部２７０で取得したユニーク番号３１０と、個別暗号マス目データベース２３０に格納されたユニーク番号３１０との照合を行い、個別暗号マス目３２０を特定し、特定した個別暗号マス目３２０の位置に記載された番号を取り除き、１２桁のマイナンバーを取得する（ステップ５６０）。次に、１２桁のマイナンバーを対象者のユニーク番号と関連付けて格納する（ステップ５７０）。
【００３８】
図６は、図１の（ａ）に示される記入フォーム用プレート１００の変形例である記入フォーム用プレート６００を示す図である。記入フォーム用プレート６００は、マイナンバーを記載するマス目６１０と、任意の数字を記載する個別暗号マス目６２０を有する。マイナンバーを記載するマス目６１０は開口を有し、任意の数字を記載する個別暗号マス目６２０は開口を有しない。図６の記入フォーム用プレート６００は更に、記入フォーム用プレート６００を用いて記入フォーム１３０にマイナンバーを記入するため方法が記載された部分６３０を設けてもよい。
【００３９】
図１の（ａ）に示される記入フォーム用プレート１００および図６に示される記入フォーム用プレート６００は、Ｎ桁のマイナンバーを記入するＮ個のマス目１１０、６１０と、任意の数字を記入する少なくとも１個の個別暗号マス目１２０、６２０とを備える。例えば、マイナンバーが１２桁の場合には、記入フォーム用プレートは、１２桁のマイナンバーを記入する１２個のマス目１１０、６１０と、任意の数字を記入する少なくとも１個の個別暗号マス目１２０、６２０とを備える。
【００４０】
記入フォーム用プレート１００、６００のＮ個のマス目１１０、６１０は開口を有し、少なくとも１個の個別暗号マス目１２０、６２０は開口を有しない。例えば、マイナンバーが１２桁の場合には、記入フォーム用プレートの１２個のマス目１１０、６１０が開口を有し、前記少なくとも１個の個別暗号マス目１２０、６２０は開口を有しない。
【００４１】
図１の（ａ）および図６に示される通り、記入フォーム用プレート１００、６００のＮ個のマス目１１０、６１０と少なくとも１個の個別暗号マス目１２０、６２０とが列を成して配置される。また、少なくとも１個の個別暗号マス目１２０、６２０は、列の任意の位置に配置される。例えば、マイナンバーが１２桁の場合には、記入フォーム用プレート１００、６００の１２個のマス目１１０、６１０と少なくとも１個の個別暗号マス目１２０、６２０とが列を成して配置され、少なくとも１個の個別暗号マス目１２０、６２０は、列の任意の位置に配置される。ここで、マス目１１０、６１０と個別暗号マス目１２０、６２０の列における任意の位置とは、図３の（ｃ）に示されるように、通し番号３３０で示される位置をいう。図３の（ｃ）の例では、個別暗号マス目１２０、６２０の任意の位置は「３」である。
【００４２】
記入フォーム用プレート１１０、６１０において、少なくとも１個の個別暗号マス目１２０、６２０が配置される列の任意の位置は、記入フォーム用プレートごとに予め定められ、個別暗号マス目データベース２３０に格納されている。
【００４３】
図１の（ａ）に示される記入フォーム用プレート１００および図６に示される記入フォーム用プレート６００では、各マス目の形状を長方形で示したが、これに限られず、正方形、円形、楕円形等、他の形状としてもよい。また、個別暗号化マス目１２０は典型的には開口を有しないが、開口を有するようにするとともに、目印等により他のマス目と区別できるようにしてもよい。
【００４４】
図１の（ａ）に示される記入フォーム用プレート１００および図６に示される記入フォーム用プレート６００の材質は、典型的には紙であるが、薄紙、厚紙、ボール紙等の紙素材に限られず、例えばプラスチックや塩化ビニール等であってもよい。また、その他の素材の硬質プレートまたは軟質プレートであってもよい。また、記入フォーム用プレート１００および６００は、不透明であっても透明であってもよい。
また、図１の（ａ）では、記入フォーム用プレート１００の全体の形状は、例として細長いスリット状の長方形で示されており、図６では、記入フォーム用プレート６００の全体形状は、例として記入フォーム用プレート１００よりも縦幅が大きい長方形で示されているが、これに限られず、角丸の長方形や円形、楕円形等、任意の形状であってもよい。
【実施例２】
【００４５】
実施例１では、記入フォーム１３０は、典型的には紙に印刷されており、封筒に封入して対象者に郵便その他の送付手段により発送できると説明したが、実施例２では、記入フォーム１３０を端末等の画面に表示されるＷｅｂフォームとする。紙の記入フォーム１３０を封筒に入れて郵便その他の送付手段により発送する代わりに、Ｗｅｂ上の画面に記入フォーム１３０を表示して、対象者に記入を求める。この場合、記入フォーム用プレート１００を画面に表示して、バーチャルな記入フォーム用プレート１００としてもよい。また、単に、個別暗号マス目１２０を一時的に非表示または入力不可とするようにし、他のマス目の記入が終了した後に個別暗号マス目１２０への記入を求めるようにしてもよい。
【００４６】
また、実施例１では、データ取得部２７０は、記入フォーム１３０に記入された１３桁の数字は、記入フォームが紙の場合は、対象者により手書きで記入された数字であり、ＯＣＲ機能によりデータとして取得すると説明したが、実施例２では、記入フォーム１３０がＷｅｂフォームであるため、記入された数字をそのままデータとして取得する。
【実施例３】
【００４７】
実施例１では、例として主に個別暗号マス目１２０が１つの場合について説明したが、実施例３では、個別暗号マス目１２０を２つ以上とする例について説明する。
記入フォーム用プレート１００において、マイナンバーの桁数と同じ数であるＮ個のマス目は開口を有している。実施例３では、２つ以上の個別暗号マス目１２０は開口を有しない。マイナンバー提出の対象者は、記入用プレート１００のマス目１１０の開口を通して、番号記入欄１４０の各マス目にマイナンバーの各桁を記入する。マイナンバーの全ての桁を記入し終えると、対象者は、記入用プレート１００を番号記入欄１４０から外す。そうすると、開口を有しない２つ以上の個別暗号マス目１２０に対応する位置の番号記入欄のマス目は２つ以上が空欄となっており、この２つ以上の空欄のそれぞれに任意の１桁の数字を記入する。これにより、マイナンバーＮ桁に２つ以上の数字が加えられた桁数の数字が得られる。
【００４８】
個別暗号マス目付与部２４０は、個々のユニーク番号３１０に対して、２つ以上の個別暗号マス目３２０の位置を示す２つ以上の数字を付与し、個別暗号マス目データベース２３０に格納する。
【００４９】
データ取得部２７０は、記入フォーム１３０に記載されているＱＲデータおよび記入フォーム１３０に記入されたＭ桁（Ｍはマス目の総数）の数字、即ち、マイナンバーの桁数Ｎに個別暗号マス目の数を加えた桁数の数字を取得する。
【００５０】
データ整合化処理部２８０は、データ取得部２７０で取得したユニーク番号３１０と、個別暗号マス目データベース２３０に格納されたユニーク番号３１０との照合を行い、２つ以上の個別暗号マス目３２０を特定する。データ整合化処理部２８０は、データ取得部２７０で取得したＭ桁（Ｍはマス目の総数）の数字、即ち、マイナンバーの桁数Ｎに個別暗号マス目の数を加えた桁数の数字から、特定した２つ以上の個別暗号マス目３２０の位置に記載された番号を取り除き、Ｎ桁のマイナンバーを取得する。データ整合化処理部２８０は、取得したＮ桁のマイナンバーをマイナンバー管理データベース２９０に格納する。
【００５１】
図１の（ａ）に示される記入フォーム用プレート１００および図６に示される記入フォーム用プレート６００では、個別暗号マス目１２０、６２０が１つの場合を例として示しているが、実施例３では、個別暗号マス目１２０、６２０が２つ以上あるため、マス目の総数Ｍは、マイナンバーの桁数Ｎに、個別暗号マス目１２０、６２０の数を加えた数となり、図１の（ａ）および図６に示されるマス目の数よりも多くなる。また、図３の（ｃ）では、個別暗号マス目の任意の位置は「３」のみであるが、実施例３では、例えば「３」と「１０」のように、任意の位置も２つ以上となる。また、図３の（ｃ）の通し番号３３０の総数は、マイナンバーの桁数Ｎに、個別暗号マス目１２０、６２０の数を加えた数となり、図３の（ｃ）に示される通し番号３３０の総数よりも多くなる。
上記記載は実施例についてなされたが、本発明はそれに限らず、本発明の精神と添付の請求の範囲の範囲内で種々の変更および修正をすることができることは当業者に明らかである。
【符号の説明】
【００５２】
１００  記入フォーム用プレート
１１０  マス目
１２０  個別暗号マス目
１３０  記入フォーム
１４０  番号記入欄
２００  マイナンバー漏洩防止システム
２２０  発送データ作成部
２３０  個別暗号マス目データベース
２４０  個別暗号マス目付与部
２５０  印字部
２７０  データ取得部
２８０  データ整合化処理部
２９０  マイナンバー管理データベース
３０１  データ・テーブル
３０２  データ・テーブル
３１０  ユニーク番号
３３０  通し番号
３２０  個別暗号マス目
４００  データ・テーブル
４１０  マイナンバー
【図１】
0006630516.tif 000002
【図２】
0006630516.tif 000003
【図３】
0006630516.tif 000004
【図４】
0006630516.tif 000005
【図５】
0006630516.tif 000006
【図６】
0006630516.tif 000007